(57)【要約】      （修正有）【課題】聴覚保護装置と、聴覚保護装置を動作させる方法を提供する。【解決手段】聴覚保護装置２は、第１マイクロホン４と、第１マイクロホン入力信号６を、複数のサブバンド信号に分割するサブバンド分割モジュール８と、各サブバンド信号の信号強度パラメータを推定する推定モジュール１０と、第１マイクロホン入力信号又はサブバンド信号の夫々に、ゲイン低減を適用するように構成されたマルチバンドリミッタ１２と、マルチバンドリミッタに接続されたリミッタコントローラ１４と、を有する。リミッタコントローラは、第１マイクロホン入力信号のサブバンド信号に対するゲイン低減を決定する。その際、第２サブバンド信号に対する第２ゲイン低減は、第１サブバンド信号に対する第１信号強度パラメータに基づき、リミッタコントローラが、マルチバンドリミッタを制御して、第２ゲイン低減を第２サブバンド信号に適用する。【選択図】図１Ａ
2019146153.tif 000002
【特許請求の範囲】
【請求項１】
第１マイクロホン入力信号を提供するための第１マイクロホンと、
前記第１マイクロホン入力信号を、複数のサブバンド信号に分割するサブバンド分割モジュールと、
第１サブバンド信号の第１信号強度パラメータと、第２サブバンド信号の第２信号強度パラメータとを含む、各サブバンド信号の信号強度パラメータを推定する推定モジュールと、
前記第１マイクロホン入力信号に、または前記サブバンド信号のそれぞれに、ゲイン低減を適用するように構成されたマルチバンドリミッタと、
前記マルチバンドリミッタに接続されたリミッタコントローラと、を有する聴覚保護装置であって、
前記リミッタコントローラは、前記第１マイクロホン入力信号の前記サブバンド信号に対するゲイン低減を決定するように構成され、
前記第２サブバンド信号に対する第２ゲイン低減は、前記第１サブバンド信号に対する前記第１信号強度パラメータに基づいており、
前記リミッタコントローラは、前記マルチバンドリミッタを制御して、前記第２ゲイン低減を前記第２サブバンド信号に適用するように構成される、聴覚保護装置。
【請求項２】
前記第１マイクロホン入力信号の前記第２サブバンド信号に対する前記第２ゲイン低減は、前記第２サブバンド信号の前記第２信号強度パラメータに基づいている、請求項１に記載の聴覚保護装置。
【請求項３】
前記第１サブバンド信号は、前記サブバンド信号のうちの信号強度パラメータが最も低いものである、請求項１または２に記載の聴覚保護装置。
【請求項４】
前記第１マイクロホン入力信号の前記サブバンド信号に対するゲイン低減を決定することは、広帯域信号強度限界に基づいている、請求項１から３のいずれか一項に記載の聴覚保護装置。
【請求項５】
前記第１マイクロホン入力信号の前記サブバンド信号に対するゲイン低減を決定することは、前記第２サブバンド信号に対する第２信号強度閾値Ｐ＿ＴＨ＿２を、前記広帯域信号強度限界に基づいて決定することを含む、請求項４に記載の聴覚保護装置。
【請求項６】
前記第２信号強度閾値Ｐ＿ＴＨ＿２は以下のとおり求められ、
【数１】
2019146153.tif 000010
式中、Ｐｌｉｍは広帯域信号強度限界であり、Ｐ１は第１サブバンド信号の第１信号強度パラメータであり、Ｋはサブバンド信号の数であり、ｋは指数である、請求項５に記載の聴覚保護装置。
【請求項７】
前記第１マイクロホン入力信号の前記サブバンド信号に対するゲイン低減を決定することは、前記第２信号強度閾値Ｐ＿ＴＨ＿２が第２ゲイン低減基準を満たす場合には、前記第２信号強度閾値に基づいて前記第２ゲイン低減を決定することを含む、請求項５または６に記載の聴覚保護措置。
【請求項８】
前記第１マイクロホン入力信号の前記サブバンド信号に対するゲイン低減を決定することは、前記第１マイクロホン入力信号の第３サブバンド信号であって、前記第１信号強度パラメータおよび前記第２信号強度パラメータよりも大きい第３信号強度パラメータを有する第３サブバンド信号に対する第３ゲイン低減を決定することを含み、
前記リミッタコントローラは、前記マルチバンドリミッタを制御して、前記第３ゲイン低減を前記第３サブバンド信号に適用するように構成される、請求項１から７のいずれか一項に記載の聴覚保護装置。
【請求項９】
前記第１マイクロホン入力信号の前記サブバンド信号に対するゲイン低減を決定することは、前記第２信号強度閾値Ｐ＿ＴＨ＿２が前記第２ゲイン低減基準を満たす場合には、前記第２信号強度閾値Ｐ＿ＴＨ＿２に基づいて、前記第３ゲイン低減を決定することを含む、請求項７に従属する請求項８に記載の聴覚保護装置。
【請求項１０】
前記第１マイクロホン入力信号の前記サブバンド信号に対するゲイン低減を決定することは、前記第２信号強度閾値が前記第２ゲイン低減基準を満たさない場合には、前記広帯域信号強度限界に基づいて第３信号強度閾値Ｐ＿ＴＨ＿３を決定することを含む、請求項５に従属する請求項８または９に記載の聴覚保護措置。
【請求項１１】
前記第１マイクロホン入力信号の前記サブバンド信号に対するゲイン低減を決定することは、前記第３信号強度閾値Ｐ＿ＴＨ＿３が第３ゲイン低減基準を満たす場合には、前記第３信号強度閾値に基づいて前記第３ゲイン低減を決定することを含む、請求項１０に記載の聴覚保護装置。
【請求項１２】
前記１つまたは複数の信号強度パラメータはパワーである、請求項１から１１のいずれか一項に記載の聴覚保護装置。
【請求項１３】
聴覚保護装置を動作させる方法であって、
第１マイクロホン入力信号を取得することと、
前記第１マイクロホン入力信号を複数のサブバンド信号に分割することと、
第１サブバンド信号の第１信号強度パラメータおよび第２サブバンド信号の第２信号強度パラメータを含む各サブバンド信号の信号強度パラメータを推定することと、
前記第２サブバンド信号に対する第２ゲイン低減が、前記第１サブバンド信号の前記第１信号強度パラメータに基づくように前記第１マイクロホン入力信号の各サブバンド信号に対するゲイン低減を決定することと、
前記ゲイン低減を各サブバンド信号に適用することと、を含む方法。
【請求項１４】
前記第１マイクロホン入力信号の各サブバンド信号に対するゲイン低減を決定することは、前記サブバンド信号を、信号強度パラメータの昇順でソートされたサブバンド信号のリストにソートすることを含み、
前記第１マイクロホン入力信号の各サブバンド信号に対するゲイン低減を決定することは、
指数ｎを初期化することと、
広帯域信号強度限界に基づいてｎ番目の信号強度閾値Ｐ＿ＴＨ＿ｎを決定することと、
ｎ番目の信号強度閾値Ｐ＿ＴＨ＿ｎがｎ番目のゲイン低減基準（Ｐ＿ＴＨ＿ｎ≦Ｐ＿ｎ）を満たさない場合には、指数ｎを増やして、広帯域信号強度限界に基づいてｎ番目の信号強度閾値Ｐ＿ＴＨ＿ｎを決定することに戻ることと、を含む、請求項１３に記載の方法。
【請求項１５】
前記ｎ番目の信号強度閾値Ｐ＿ＴＨ＿ｎが前記ｎ番目のゲイン低減基準を満たす場合には、Ｋをサブバンド信号の数として、ｉ＝ｎ、…、Ｋについて、ゲイン低減ＧＲ＿ｉはＰ＿ＴＨ＿ｎ／Ｐ＿ｉとして与えられ、ｉ＝１、…、ｎ−１について、ゲイン低減ＧＲ＿ｉは１に設定されるように、前記ｎ番目の信号強度閾値に基づいて前記サブバンド信号の前記ゲイン低減を決定する、請求項１４に記載の方法。
【発明の詳細な説明】
【技術分野】
【０００１】
本開示は、マルチバンドリミッタを有する聴覚保護装置と、関連する方法とに関する。特に、本開示は、聴覚保護装置を動作させる方法を提供する。
【背景技術】
【０００２】
聴覚保護装置は、受動的聴覚保護装置から能動的聴覚保護装置に発展した。後者はユーザに、聴覚保護が必要ない状況、即ち大きな音／騒音がない状況で、音声を聞いたり、他者とコミュニケーションを取ったりすることを可能とするものである。
【発明の概要】
【発明が解決しようとする課題】
【０００３】
音声明瞭度を維持、向上しながら、さらに／あるいは過度なゲイン低減を避けながら、入ってくる音をユーザの聴覚を損傷しないまたはユーザにとって不快ではない音圧レベルに制限することが可能な装置および方法が求められている。
【課題を解決するための手段】
【０００４】
したがって、聴覚保護装置について開示する。前記聴覚保護装置は、第１マイクロホン入力信号を提供するための第１マイクロホンと、前記第１マイクロホン入力信号を、複数のサブバンド信号に分割するサブバンド分割モジュールと、第１サブバンド信号の第１信号強度パラメータと、第２サブバンド信号の第２信号強度パラメータとを含む、各サブバンド信号の信号強度パラメータを推定する推定モジュールと、前記第１マイクロホン入力信号、または前記サブバンド信号のそれぞれに、ゲイン低減（フィルタ伝達関数）を適用するように構成されたマルチバンドリミッタと、前記マルチバンドリミッタに接続されたリミッタコントローラと、を有する。前記リミッタコントローラは、前記第１マイクロホン入力信号の前記サブバンド信号に対するゲイン低減を決定するように構成される。前記第２サブバンド信号に対する第２ゲイン低減は、前記第１サブバンド信号に対する前記第１信号強度パラメータに基づいており、前記リミッタコントローラは、前記マルチバンドリミッタを制御して、前記第２ゲイン低減を前記第２サブバンド信号に適用するか、前記第２ゲイン低減に基づくフィルタ伝達関数を前記第１マイクロホン信号に適用するように構成される。
【０００５】
また、聴覚保護装置を動作させる方法も開示される。前記方法は、第１マイクロホン入力信号を取得することと、前記第１マイクロホン信号を複数のサブバンド信号に分割することと、第１サブバンド信号の第１信号強度パラメータおよび第２サブバンド信号の第２信号強度パラメータを含む各サブバンド信号の信号強度パラメータを推定することと、前記第２サブバンド信号に対する第２ゲイン低減が、前記第１サブバンド信号の前記第１信号強度パラメータに基づくように、前記第１マイクロホン入力信号の各サブバンド信号に対するゲイン低減を決定することと、前記ゲイン低減を各サブバンド信号に適用することと、を含む。
【０００６】
本開示の利点として、聴覚保護装置の広帯域出力信号強度が、広帯域信号強度限界に制限され、ゲイン低減／減衰は、必要な場合にのみ、最大エネルギーの周波数範囲に適用される。これにより、例えばユーザが、騒音が激しい環境でコミュニケーションを取っており、会話と、干渉するノイズが異なる周波数領域に存在する場合であっても、会話に影響を与えることなく、ノイズを低減することができる。すなわち、音声明瞭度が向上するという有利な効果を奏する。
【０００７】
さらに、本開示は、広帯域信号強度限界に近い、またはそれをほんの少し下回る広帯域出力信号強度を実現する。
【０００８】
この方法、および／またはこの聴覚保護装置において、ゲイン低減は、広帯域パワーをパワー限界で制限するためにレベルを下げる必要がある、最大エネルギーの周波数帯／サブバンド信号でのみ実行される。
【０００９】
本発明の上述の、およびその他特徴および利点が、添付の図面を参照にする詳細な例示的実施形態の説明により、当業者に対してより明らかになろう。
【図面の簡単な説明】
【００１０】
【図１Ａ】例示的な聴覚保護装置を概略的に示す。
【図１Ｂ】例示的な聴覚保護装置を概略的に示す。
【図２】例示的な方法を示すフローチャートである。
【図３】例示的な方法の一部を示す。
【図４】例示的な聴覚保護装置を概略的に示す。
【図５】例示的な聴覚保護装置を概略的に示す。
【図６】例示的な監視装置のマルチバンド制限を示す。
【発明を実施するための形態】
【００１１】
関連する場合に図面を参照しながら、各種実施形態および詳細を以下で説明する。図面は縮尺通りに描写されていることもあればいないこともあり、類似の構造または機能の要素は図面全体にわたって同じ参照番号により表されるという点に留意すべきである。また、図面は実施形態の説明を容易にすることを意図するものに過ぎないことに留意すべきである。図面は、本発明の包括的な説明、または本発明の範囲に対する制限を意図したものではない。加えて、図示した実施形態は、示されるすべての態様または利点を有する必要はない。特定の実施形態とともに記載される態様または利点は必ずしも、その実施形態に限定されず、示されていない、または明示的に説明されていなくても、任意の他の実施形態で実施可能である。
【００１２】
聴覚保護装置が開示される。聴覚保護装置は、音声が鼓膜に到達することを防ぐために、ユーザの耳に少なくとも部分的に挿入されることで外耳道、および／または耳介を塞ぐように構成されたハウジングを有してもよい。
【００１３】
聴覚保護装置は、第１マイクロホン入力信号を提供するための第１マイクロホンを備える。
【００１４】
聴覚保護装置は、第１マイクロホン入力信号を、Ｋ個のサブバンド信号Ｓ（１）、Ｓ（２）、…、Ｓ（Ｋ）に分割するサブバンド分割モジュールを備える。サブバンド分割モジュールは、フィルタバンクまたは高速フーリエ変換（ＦＦＴ）モジュールであってもよい。サブバンドの数Ｋは、３、４、５、６、または少なくとも４であってもよい。１つまたは複数の例示的な聴覚保護装置において、サブバンドの数Ｋは、少なくとも１６のように、少なくとも８であってもよい。サブバンド信号Ｓ（１）、Ｓ（２）、…、Ｓ（Ｋ）は、周波数で区別される。サブバンドの数Ｋは、８から４０の範囲であってもよい。
【００１５】
聴覚保護装置は、各サブバンド信号の、パワーや振幅等の信号強度パラメータを推定する推定モジュールを有する。当該パラメータは、サブバンド信号Ｓ（１）、Ｓ（２）、…、Ｓ（Ｋ）の第１サブバンド信号Ｓ＿１の第１信号強度パラメータＰ＿１と、サブバンド信号Ｓ（１）、Ｓ（２）、…、Ｓ（Ｋ）の第２サブバンド信号Ｓ＿２の第２信号強度パラメータＰ＿２とを含む。
【００１６】
聴覚保護装置は、サブバンド信号Ｓ（１）、Ｓ（２）、…、Ｓ（Ｋ）のそれぞれにゲイン低減を適用するように、または第１マイクロホン入力信号にフィルタ伝達関数を適用するように構成される、マルチバンドリミッタを備える。
【００１７】
マルチバンドリミッタは、サブバンド信号Ｓ（１）、Ｓ（２）、…、Ｓ（Ｋ）のそれぞれに、ゲイン低減を適用する乗算モジュールと、乗算モジュールからのゲイン低減サブバンド信号を合成して、電気出力信号にする、例えばＩＦＦＴを含む合成モジュールとを有してもよい。電気出力信号は、当該電気出力信号を音声出力信号に変換するレシーバに供給される。
【００１８】
聴覚保護装置は、マルチバンドリミッタの出力に接続されて、電気出力信号を音声信号に変換するレシーバ（ラウドスピーカ）を備えてもよい。
【００１９】
聴覚保護装置は、マルチバンドリミッタに接続されて、サブバンド信号に適用されるゲイン低減を制御するリミッタコントローラを備えてもよい。
【００２０】
リミッタコントローラは、平均化モジュールを備えてもよい。これにより、推定信号強度パラメータが平均化でき、マルチバンドリミッタが入ってくる音の変化に対して反応する速度を制御するように、時間平均の度合いを調整できる。
【００２１】
リミッタコントローラは、ゲイン低減計算機を備えてもよい。ゲイン低減計算機は、信号強度パラメータＰ＿１、…、Ｐ＿Ｋのうちの１つまたは複数に基づいて、第１マイクロホン入力信号のサブバンド信号に対するゲイン低減を決定するように構成される。
【００２２】
例えば、時間領域形態では、リミッタコントローラは、ＦＩＲフィルタとして実現されるマルチバンドリミッタ１２に対するフィルタ伝達関数／フィルタ係数を決定するように構成されるフィルタ設計モジュールを備えてもよい。
【００２３】
リミッタコントローラは、ゲイン低減計算機に対する信号強度閾値を決定する閾値モジュール１４Ｄを備えてもよい。
【００２４】
リミッタコントローラは、第１マイクロホン入力信号のサブバンド信号Ｓ（１）、Ｓ（２）、…、Ｓ（Ｋ）に対するゲイン低減ＧＲ（１）、ＧＲ（２）、…、ＧＲ（Ｋ）を決定し、任意で、例えばマルチバンドリミッタのＦＩＲフィルタのようなフィルタに対するフィルタ伝達関数（フィルタ係数）を決定するように構成される。
【００２５】
第２サブバンド信号Ｓ＿２に対する第２ゲイン低減ＧＲ＿２は、第１サブバンド信号Ｓ＿１に対する第１信号強度パラメータＰ＿１に基づく。第１マイクロホン入力信号の第２サブバンド信号Ｓ＿２に対する第２ゲイン低減ＧＲ＿２は、第２サブバンド信号に対する第２信号強度パラメータＰ＿２に基づいてもよい。
【００２６】
リミッタコントローラは、マルチバンドリミッタを制御して、第２ゲイン低減ＧＲ＿２をサブバンド信号Ｓ（１）、Ｓ（２）、…、Ｓ（Ｋ）の第２サブバンド信号Ｓ＿２に適用するように構成される。
【００２７】
第１サブバンド信号Ｓ＿１は、サブバンド信号Ｓ（１）、Ｓ（２）、…、Ｓ（Ｋ）のうち、最も信号強度パラメータが低いサブバンド信号、例えばサブバンド信号Ｓ（１）、Ｓ（２）、…、Ｓ（Ｋ）のうちで最もパワーまたは振幅が低いものである。
【００２８】
第２サブバンド信号Ｓ＿２は、サブバンド信号Ｓ（１）、Ｓ（２）、…、Ｓ（Ｋ）のうち、２番目に信号強度パラメータが低いサブバンド信号、例えばサブバンド信号Ｓ（１）、Ｓ（２）、…、Ｓ（Ｋ）のうちで２番目にパワーまたは振幅が低いものである。
【００２９】
ｎ番目のサブバンド信号Ｓ＿ｎは、サブバンド信号Ｓ（１）、Ｓ（２）、…、Ｓ（Ｋ）のうち、ｎ番目に信号強度パラメータが低いサブバンド信号、例えばサブバンド信号Ｓ（１）、Ｓ（２）、…、Ｓ（Ｋ）のうちでｎ番目にパワーまたは振幅が低いものである。
【００３０】
リミッタコントローラは任意で、サブバンド信号Ｓ（１）、Ｓ（２）、…、Ｓ（Ｋ）を、信号強度パラメータの昇順でソートされたサブバンド信号Ｓ＿１、Ｓ＿２、…、Ｓ＿Ｋのリストにソートするように構成される。
【００３１】
リミッタコントローラは任意で、マルチバンドリミッタを制御して、ｎ＝１、…、Ｋについて、ゲイン低減ＧＲ＿ｎをサブバンド信号Ｓ（１）、Ｓ（２）、…、Ｓ（Ｋ）のｎ番目のサブバンド信号Ｓ＿ｎに適用するように構成される。
【００３２】
第１マイクロホン入力信号のサブバンド信号に対するゲイン低減を決定することは、広帯域信号強度限界Ｐｌｉｍに基づいてもよい。広帯域信号強度限界Ｐｌｉｍは、広帯域パワー限界または広帯域振幅限界であってもよい。パワー限界Ｐｌｉｍは、第１マイクロホン入力信号が超えてはならない広帯域パワーである。このレベルは、第１マイクロホンでの音圧レベルに等しくてもよく、典型的には職業健康基準から得られ（例えば、ＥＵ  Ｄｉｒｅｃｔｉｖｅ  ２００３／１０／ＥＣ−ノイズ）、周波数重み付け値（Ａ特性）または非重み付けレベルであってもよい。
【００３３】
第１マイクロホン入力信号のサブバンド信号に対するゲイン低減を決定することは、例えば広帯域信号強度限界Ｐｌｉｍに基づいて第２サブバンド信号Ｓ＿２に対する第２信号強度閾値Ｐ＿ＴＨ＿２を決定することを含んでもよい。
【００３４】
１つまたは複数の例示的な聴覚保護装置において、第１マイクロホン入力信号のサブバンド信号に対するゲイン低減を決定することは、広帯域信号強度限界Ｐｌｉｍに基づいて第１サブバンド信号に対する第１信号強度閾値Ｐ＿ＴＨ＿１を決定することと、第１信号強度閾値Ｐ＿ＴＨ＿１が第１ゲイン低減基準（例えば、Ｐ＿１≧Ｐ＿ＴＨ＿１）を満たすことに応じて、第１信号強度閾値に基づいてゲイン低減を決定すること（例えば、ｉ＝１、…、Ｋについて、ＧＲ＿ｉ＝Ｐ＿ＴＨ＿１／Ｐ＿ｉ）とを含んでもよい。
【００３５】
第１信号強度閾値Ｐ＿ＴＨ＿１は以下のように与えられてもよい。
【００３６】
【数１】
2019146153.tif 000003
【００３７】
信号強度閾値は、パワー閾値または振幅閾値であってもよい。
【００３８】
第２信号強度閾値Ｐ＿ＴＨ＿２は以下のように与えられてもよい。
【００３９】
【数２】
2019146153.tif 000004
【００４０】
式中、Ｐｌｉｍは広帯域信号強度限界で、Ｐ１は第１サブバンド信号Ｓ＿１の信号強度パラメータで、Ｋはサブバンド信号の数で、ｋは指数である。
【００４１】
第１マイクロホン入力信号のサブバンド信号に対するゲイン低減を決定することは、第２信号強度閾値Ｐ＿ＴＨ＿２が第２ゲイン低減基準（例えば、Ｐ＿２≧Ｐ＿ＴＨ＿２）を満たすことに応じて、第２信号強度閾値Ｐ＿ＴＨ＿２に基づいて第２ゲイン低減ＧＲ＿２を決定することを含んでもよい。
【００４２】
第２ゲイン低減ＧＲ＿２は次のとおりに与えられてもよい。
ＧＲ＿２＝Ｐ＿ＴＨ＿２／Ｐ＿２
【００４３】
第１マイクロホン入力信号のサブバンド信号に対するゲイン低減を決定することは、ｎ番目の信号強度閾値Ｐ＿ＴＨ＿ｎがｎ番目のゲイン低減基準を満たす場合には、ゲイン低減ＧＲ＿１−ＧＲ＿ｎ−１を１に設定することを含んでもよい。
【００４４】
第１マイクロホン入力信号のサブバンド信号に対するゲイン低減を決定することは、サブバンド信号Ｓ（１）、Ｓ（２）、…、Ｓ（Ｋ）の第３サブバンド信号Ｓ＿３に対する第３ゲイン低減ＧＲ＿３を決定することを含んでもよい。ここで、第３サブバンド信号Ｓ＿３は、第１信号強度パラメータＰ＿１および第２信号強度パラメータＰ＿２よりも大きい第３信号強度パラメータＰ＿３を有する。リミッタコントローラは、マルチバンドリミッタを制御して、第３ゲイン低減ＧＲ＿３をサブバンド信号Ｓ（１）、Ｓ（２）、…、Ｓ（Ｋ）の第３サブバンド信号Ｓ＿３に適用するように構成される。
【００４５】
第１マイクロホン入力信号のサブバンド信号に対するゲイン低減を決定することは、第２信号強度閾値Ｐ＿ＴＨ＿２が第２ゲイン低減基準を満たす場合には、第２信号強度閾値に基づいて第３ゲイン低減を決定することを含んでもよい。第３ゲイン低減ＧＲ＿３は、次のとおりに与えられてもよい。
ＧＲ＿３＝Ｐ＿ＴＨ＿２／Ｐ＿３
【００４６】
第１マイクロホン入力信号のサブバンド信号に対するゲイン低減を決定することは、第２信号強度閾値Ｐ＿ＴＨ＿２が第２ゲイン低減基準（例えば、Ｐ＿２≧Ｐ＿ＴＨ＿２）を満たす場合には、ゲイン低減ＧＲ＿２−ＧＲ＿Ｋを次のように決定することを含んでもよい。
ｉ＝２、…、Ｋについて、ＧＲ＿ｉ＝Ｐ＿ＴＨ＿２／Ｐ＿ｉ
【００４７】
第１マイクロホン入力信号のサブバンド信号に対するゲイン低減を決定することは、第２信号強度閾値Ｐ＿ＴＨ＿２が第２ゲイン低減基準を満たさない場合には、広帯域信号強度限界Ｐｌｉｍに基づいて第３信号強度閾値Ｐ＿ＴＨ＿３を決定することを含んでもよい。
第３信号強度閾値Ｐ＿ＴＨ＿３は次のように与えられてもよい。
【００４８】
【数３】
2019146153.tif 000005
【００４９】
式中、Ｐｌｉｍは広帯域信号強度限界であり、Ｐｋはｋ番目のサブバンド信号の信号強度パラメータであり、Ｋはサブバンド信号の数であり、ｋは指数である。
【００５０】
第１マイクロホン入力信号のサブバンド信号に対するゲイン低減を決定することは、第３信号強度閾値Ｐ＿ＴＨ＿３が第３ゲイン低減基準（例えば、Ｐ＿３≧Ｐ＿ＴＨ＿３）を満たす場合には、第３信号強度閾値Ｐ＿ＴＨ＿３に基づいて第３ゲイン低減ＧＲ＿３を決定することを含んでもよい。第３ゲイン低減ＧＲ＿３は次のように与えられてもよい。
ＧＲ＿３＝Ｐ＿ＴＨ＿３／Ｐ＿３
【００５１】
第１マイクロホン入力信号のサブバンド信号に対するゲイン低減を決定することは、第３信号強度閾値Ｐ＿ＴＨ＿３が第３ゲイン低減基準（例えば、Ｐ＿３≧Ｐ＿ＴＨ＿３）を満たすことに応じて、ゲイン低減ＧＲ＿３−ＧＲ＿Ｋを次のように決定することを含んでもよい。
ｉ＝３、…、Ｋについて、ＧＲ＿ｉ＝Ｐ＿ＴＨ＿３／Ｐ＿ｉ
【００５２】
聴覚保護装置を動作させる方法は、例えば第１マイクロホンにより第１マイクロホン入力信号を取得することと、第１マイクロホン信号を複数Ｋのサブバンド信号Ｓ（１）、Ｓ（２）、…、Ｓ（Ｋ）に分割することと、第１サブバンド信号Ｓ＿１の第１信号強度パラメータＰ＿１および第２サブバンド信号Ｓ＿２の第２信号強度パラメータＰ＿２を含む各サブバンド信号のパワーまたは振幅等の信号強度パラメータを推定することと、を含む。方法は、サブバンド信号Ｓ（１）、Ｓ（２）、…、Ｓ（Ｋ）の第２サブバンド信号Ｓ＿２に対する第２ゲイン低減ＧＲ＿２が、第１サブバンド信号Ｓ＿１の第１信号強度パラメータＰ＿１に基づくように、第１マイクロホン入力信号の各サブバンド信号Ｓ（１）、Ｓ（２）、…、Ｓ（Ｋ）に対するゲイン低減を決定することと、第１マイクロホン入力信号の各サブバンド信号Ｓ（１）、Ｓ（２）、…、Ｓ（Ｋ）にゲイン低減を適用して、例えば電気出力信号を形成することと、を含む。方法は、聴覚保護装置のレシーバにより、電気出力信号を音声信号に変換することを含んでもよい。
【００５３】
方法において、第１マイクロホン入力信号の各サブバンド信号Ｓ（１）、Ｓ（２）、…、Ｓ（Ｋ）に対するゲイン低減を決定することは、サブバンド信号Ｓ（１）、Ｓ（２）、…、Ｓ（Ｋ）を、信号強度パラメータの昇順でソートされたサブバンド信号Ｓ＿１、Ｓ＿２、…、Ｓ＿Ｋのリストにソートすることを含んでもよい。
【００５４】
方法において、第１マイクロホン入力信号の各サブバンド信号Ｓ（１）、Ｓ（２）、…、Ｓ（Ｋ）に対するゲイン低減を決定することは、指数ｎを初期化することと、広帯域信号強度限界に基づいてｎ番目の信号強度閾値Ｐ＿ＴＨ＿ｎを決定することと、ｎ番目の信号強度閾値Ｐ＿ＴＨ＿ｎがｎ番目のゲイン低減基準（Ｐ＿ＴＨ＿ｎ≦Ｐ＿ｎ）を満たさないことに応じて、指数ｎを増やして、広帯域信号強度限界に基づいてｎ番目の信号強度閾値Ｐ＿ＴＨ＿ｎを決定することに戻ることと、を含む。方法は、ｎ番目の信号強度閾値Ｐ＿ＴＨ＿ｎがｎ番目のゲイン低減基準を満たす場合には、ｎ番目の信号強度閾値に基づいて、ｉ＝ｎ、…、Ｋについて、ゲイン低減ＧＲ＿ｉを決定することを含んでもよい。ｉ＝ｎ、…、Ｋについて、ゲイン低減ＧＲ＿ｉは、Ｐ＿ＴＨ＿ｎ／Ｐ＿ｉとして与えられてもよい。
【００５５】
ｎ番目の信号強度閾値Ｐ＿ＴＨ＿ｎがｎ番目のゲイン低減基準を満たす場合には、ｉ＝１、…、ｎ−１について、ゲイン低減ＧＲ＿ｉは１に設定されてもよい。
【００５６】
ｎ番目の信号強度閾値Ｐ＿ＴＨ＿ｎを決定することは、ｋ＝１、…、ｎ−１として、１つまたは複数の信号強度パラメータＰ＿ｋに基づいて、即ち、ｎ番目の信号強度パラメータよりも信号強度パラメータが低いサブバンド信号の１つまたは複数の信号強度パラメータに基づいてもよい。
【００５７】
ｎ番目の信号強度閾値は、次のように与えられてもよい。
【００５８】
【数４】
2019146153.tif 000006
【００５９】
式中、Ｐｌｉｍは広帯域信号強度限界であり、Ｐｋはｋ番目のサブバンド信号の信号強度パラメータであり、Ｋはサブバンド信号の数であり、ｋは指数である。
【００６０】
図１Ａは例示的な聴覚保護装置を示す。この聴覚保護装置２は、第１マイクロホン入力信号６を提供するための第１マイクロホン４と、第１マイクロホン入力信号６をＫ個のサブバンド信号に分割するサブバンド分割モジュール８と、サブバンド信号Ｓ（１）、Ｓ（２）、…、Ｓ（Ｋ）の第１サブバンド信号Ｓ＿１の第１信号強度パラメータＰ＿１と、サブバンド信号Ｓ（１）、Ｓ（２）、…、Ｓ（Ｋ）の第２サブバンド信号Ｓ＿２の第２信号強度パラメータＰ＿２とを含む、各サブバンド信号Ｓ（１）、Ｓ（２）、…、Ｓ（Ｋ）の信号強度パラメータを推定する推定モジュール１０とを有する。聴覚保護装置２は、サブバンド信号Ｓ（１）、Ｓ（２）、…、Ｓ（Ｋ）のそれぞれに、ゲイン低減を適用するように構成されるマルチバンドリミッタ１２と、マルチバンドリミッタ１２に接続されるリミッタコントローラ１４とを有する。
【００６１】
リミッタコントローラ１４は、第１マイクロホン入力信号のサブバンド信号に対するゲイン低減を決定するように構成される。その際、サブバンド信号Ｓ（１）、Ｓ（２）、…、Ｓ（Ｋ）の第２サブバンド信号Ｓ＿２に対する第２ゲイン低減ＧＲ２は、第１サブバンド信号Ｓ＿１に対する第１信号強度パラメータＰ＿１に基づく。リミッタコントローラ１４は、マルチバンドリミッタ１２を制御して、第２ゲイン低減ＧＲ＿２を第２サブバンド信号Ｓ＿２、即ちサブバンド信号Ｓ（１）、Ｓ（２）、…、Ｓ（Ｋ）の２番目に信号強度パラメータが低いサブバンド信号に適用するように構成される。マルチバンドリミッタ１２は、電気出力信号１６を音声出力信号に変換するためのレシーバ１８に、電気出力信号１６を供給する。リミッタコントローラ１４は、マルチバンドリミッタ１２を制御して、ゲイン低減ＧＲ＿１、…、ＧＲ＿Ｋをそれぞれサブバンド信号Ｓ＿１、Ｓ＿２、…、Ｓ＿Ｋに適用するように構成される。
【００６２】
図１Ｂは、例示的な聴覚保護装置を示す。聴覚保護装置２Ｂは、第１マイクロホン入力信号６を提供するための第１マイクロホン４と、第１マイクロホン入力信号６をＫ個のサブバンド信号に分割するサブバンド分割モジュール８と、サブバンド信号Ｓ（１）、Ｓ（２）、…、Ｓ（Ｋ）の第１サブバンド信号Ｓ＿１の第１信号強度パラメータＰ＿１と、サブバンド信号Ｓ（１）、Ｓ（２）、…、Ｓ（Ｋ）の第２サブバンド信号Ｓ＿２の第２信号強度パラメータＰ＿２とを含む、各サブバンド信号Ｓ（１）、Ｓ（２）、…、Ｓ（Ｋ）の信号強度パラメータを推定する推定モジュール１０とを有する。聴覚保護装置２Ａは、第１マイクロホン入力信号に、ゲイン低減を適用するように構成されるマルチバンドリミッタ１２と、マルチバンドリミッタ１２に接続されたリミッタコントローラ１４とを有する。
【００６３】
リミッタコントローラ１４は、第１マイクロホン入力信号のサブバンド信号に対するゲイン低減を決定するように構成される。その際、第２サブバンド信号に対する第２ゲイン低減は、第１サブバンド信号に対する第１信号強度パラメータに基づく。リミッタコントローラは、サブバンド信号Ｓ（１）、Ｓ（２）、…、Ｓ（Ｋ）の全てのゲイン低減等、少なくとも第２ゲイン低減に基づいて、マルチバンドリミッタ１２に対するフィルタ伝達関数として、第１マイクロホン入力信号に対するゲイン低減を決定、適用するように構成される。リミッタコントローラ１４は、マルチバンドリミッタ１２を制御して、フィルタ伝達関数をマイクロホン入力信号６に適用するように構成される。マルチバンドリミッタ１２は、電気出力信号１６を音声出力信号に変換するためのレシーバ１８に、電気出力信号１６を供給する。
【００６４】
図２は、聴覚保護装置を動作させる例示的な方法のフローチャートである。方法１００は、第１マイクロホン入力信号を取得すること１０２と、第１マイクロホン信号を複数のサブバンド信号に分割すること１０４と、第１サブバンド信号の第１信号強度パラメータおよび第２サブバンド信号の第２信号強度パラメータを含む各サブバンド信号の信号強度パラメータを推定すること１０６と、第２サブバンド信号に対する第２ゲイン低減が、第１サブバンド信号の第１信号強度パラメータに基づくように第１マイクロホン入力信号の各サブバンド信号に対するゲイン低減を決定すること１０８と、ゲイン低減を各サブバンド信号に適用すること１１０と、を含む。
【００６５】
図３は、第１マイクロホン入力信号の各サブバンド信号に対するゲイン低減を決定すること１０８の例を示す。第１マイクロホン入力信号の各サブバンド信号Ｓ（１）、Ｓ（２）、…、Ｓ（Ｋ）に対するゲイン低減を決定すること１０８は、サブバンド信号Ｓ（１）、Ｓ（２）、…、Ｓ（Ｋ）を、信号強度パラメータの昇順でソートされたサブバンド信号Ｓ＿１、Ｓ＿２、…、Ｓ＿Ｋのリストにソートすること１１２を含む。さらに、第１マイクロホン入力信号の各サブバンド信号Ｓ（１）、Ｓ（２）、…、Ｓ（Ｋ）に対するゲイン低減を決定すること１０８は、指数ｎを初期化すること１１４と、広帯域信号強度限界に基づいてｎ番目の信号強度閾値Ｐ＿ＴＨ＿ｎを決定すること１１６と、ｎ番目の信号強度閾値Ｐ＿ＴＨ＿ｎがｎ番目のゲイン低減基準（Ｐ＿ＴＨ＿ｎ≦Ｐ＿ｎ）を満たさないことに応じて、指数ｎを増やして１１８、広帯域信号強度限界に基づいてｎ番目の信号強度閾値Ｐ＿ＴＨ＿ｎを決定すること１１６に戻ることと、を含む。したがって、決定すること１０８は、ｎ番目の信号強度閾値Ｐ＿ＴＨ＿ｎがｎ番目のゲイン低減基準を満たすかを判定すること１２０を含む。ｎ番目の信号強度閾値Ｐ＿ＴＨ＿ｎがｎ番目のゲイン低減基準を満たす場合には、決定すること１０８は、ｉ＝１、…、Ｋについて、ゲイン低減ＧＲ＿ｉを決定すること１２２を含む。決定すること１２２は、ｎ番目の信号強度閾値に基づいて、ｉ＝ｎ、…、Ｋについて、ゲイン低減ＧＲ＿ｉを決定することを含む。ゲイン低減ＧＲ＿ｉは、ｉ＝ｎ、…、Ｋについて、Ｐ＿ＴＨ＿ｎ／Ｐ＿ｉとして与えられ、ｉ＝１、…、ｎ−１について、ゲイン低減ＧＲ＿ｉは１に設定される。
【００６６】
ｎ番目の信号強度閾値は次のように与えられる。
【００６７】
【数５】
2019146153.tif 000007
【００６８】
式中、Ｐｌｉｍは広帯域信号強度限界であり、Ｐｋはｋ番目のサブバンド信号の信号強度パラメータであり、Ｋはサブバンド信号の数であり、ｋは指数である。
【００６９】
図４は、図１Ｂの聴覚保護装置２Ａの、例示的な時間領域形態を示す。サブバンド分割モジュール８は、第１マイクロホン信号６を推定モジュール１０に供給されるＫ個のサブバンド信号Ｓ（１）、Ｓ（２）、…、Ｓ（Ｋ）に分割するフィルタバンクまたは高速フーリエ変換（ＦＦＴ）モジュールを含む。推定モジュール１０はパワー推定器であり、サブバンド信号Ｓ（１）、Ｓ（２）、…、Ｓ（Ｋ）の第１サブバンド信号Ｓ１および第２サブバンド信号Ｓ＿２のそれぞれの第１パワーＰ＿１および第２パワーＰ＿２を含む、各サブバンド信号Ｓ（１）、Ｓ（２）、…、Ｓ（Ｋ）のパワーを推定する。聴覚保護装置２は、第１マイクロホン入力信号６にフィルタ伝達関数を適用するように構成されたＦＩＲフィルタであるマルチバンドリミッタ１２を有する。
【００７０】
リミッタコントローラ１４は、平均化モジュール１４Ａと、ゲイン低減計算機１４Ｂとを有する。ゲイン低減計算機１４Ｂは、第１マイクロホン入力信号のサブバンド信号に対するゲイン低減を決定するように構成される。その際、サブバンド信号Ｓ（１）、Ｓ（２）、…、Ｓ（Ｋ）の第２サブバンド信号Ｓ＿２に対する第２ゲイン低減ＧＲ２は、第１サブバンド信号Ｓ＿１に対する第１信号強度パラメータＰ＿１に基づく。リミッタコントローラ１４は、ＦＩＲフィルタとして実現されるマルチバンドリミッタ１２に対するフィルタ伝達関数／フィルタ係数を決定するように構成されるフィルタ設計モジュール１４Ｄと、信号強度閾値を決定する閾値モジュール１４Ｃを有する。リミッタコントローラ１４は、マルチバンドリミッタ１２を制御して、フィルタ伝達関数を第１マイクロホン入力信号６に適用する。マルチバンドリミッタ１２は、電気出力信号１６を音声出力信号に変換するためのレシーバ１８に、電気出力信号１６を供給する。
【００７１】
図５は、図１の聴覚保護装置２の例示的な周波数領域形態を示す。サブバンド分割モジュール８は、第１マイクロホン信号６を推定モジュール１０に供給されるＫ個のサブバンド信号Ｓ（１）、Ｓ（２）、…、Ｓ（Ｋ）に分割するフィルタバンクまたは高速フーリエ変換（ＦＦＴ）モジュールを含む。推定モジュール１０はパワー推定器であり、サブバンド信号Ｓ（１）、Ｓ（２）、…、Ｓ（Ｋ）の第１サブバンド信号Ｓ１および第２サブバンド信号Ｓ＿２のそれぞれの第１パワーＰ＿１および第２パワーＰ＿２を含む、各サブバンド信号Ｓ（１）、Ｓ（２）、…、Ｓ（Ｋ）のパワーを推定する。聴覚保護装置２は、サブバンド信号Ｓ（１）、Ｓ（２）、…、Ｓ（Ｋ）それぞれにゲイン低減を適用するための、乗算モジュール１２Ａを有するマルチバンドリミッタ１２と、ゲイン低減サブバンド信号を合成して、電気出力信号１６を音声出力信号に変換するためのレシーバ１８に供給される電気出力信号１６にする、合成モジュール１２Ｂ（ＩＦＦＴ）と、を有する。
【００７２】
リミッタコントローラ１４は、平均化モジュール１４Ａと、ゲイン低減計算機１４Ｂとを有する。ゲイン低減計算機１４Ｂは、第１マイクロホン入力信号のサブバンド信号に対するゲイン低減を決定するように構成される。その際、サブバンド信号Ｓ（１）、Ｓ（２）、…、Ｓ（Ｋ）の第２サブバンド信号Ｓ＿２に対する第２ゲイン低減ＧＲ＿２は、第１サブバンド信号Ｓ＿１に対する第１信号強度パラメータＰ＿１に基づく。リミッタコントローラ１４は、信号強度閾値を決定する閾値モジュール１４Ｃを有する。
【００７３】
リミッタコントローラ１４は、各サブバンド信号Ｓ＿１、Ｓ＿２、…、Ｓ＿Ｋにゲイン低減ＧＲ＿１、…、ＧＲ＿Ｋを適用するように、マルチバンドリミッタ１２を制御するように構成される。
【００７４】
図６は、例示的な監視装置／方法の、マルチバンド制限を示す。第１マイクロホン入力信号は、８つ（即ちＫ＝８）の周波数帯における８つのサブバンド信号Ｓ（１）、Ｓ（２）、…、Ｓ（８）に分割されている。各サブバンド信号の信号強度パラメータ（パワーレベル）は、サブバンド信号Ｓ（１）、Ｓ（２）、…、Ｓ（８）において最も信号強度パラメータが低い第１サブバンド信号Ｓ＿１の第１信号強度パラメータＰ＿１と、サブバンド信号Ｓ（１）、Ｓ（２）、…、Ｓ（８）において２番目に信号強度パラメータが低い第２サブバンド信号Ｓ＿２の第２信号強度パラメータＰ＿２とを含む。
【００７５】
以下の表１に、図６のマルチバンド制限に対するパワー値を示す。
【００７６】
【表１】
2019146153.tif 000008
【００７７】
この例では、パワー閾値Ｐ＿ＴＨ＿１、Ｐ＿ＴＨ＿２、Ｐ＿ＴＨ＿３、Ｐ＿ＴＨ＿４、Ｐ＿ＴＨ＿５はそれぞれゲイン低減基準を満たさず、ゲイン低減ＧＲ＿１、ＧＲ＿２、ＧＲ＿３、ＧＲ＿４、ＧＲ＿５は、１（０ｄＢ）に設定されている。聴覚保護装置はここで説明する第６パワー閾値Ｐ＿ＴＨ＿６＝７８．２ｄＢを計算しており、第６パワー閾値は、第６ゲイン低減基準を満たす（Ｐ＿ＴＨ＿６≦Ｐ＿６）。このため、ゲイン低減ＧＲ＿６、ＧＲ＿７、ＧＲ＿８は、それぞれのサブバンド信号の出力を、第６パワー閾値（７８．２ｄＢ）に制限するように設定される。リミッタコントローラは、マルチバンドリミッタを制御して、ゲイン低減を、マッピングされたサブバンド信号の出力パワーを制限するように、ゲイン低減を対応するサブバンド信号に適用する。したがって、第１ゲイン低減ＧＲ＿１は、Ｓ（２）（パワーが最も低いサブバンド信号）に適用され、第２ゲイン低減ＧＲ＿２は、Ｓ（１）（パワーが２番目に低いサブバンド信号）に適用され、第３ゲイン低減ＧＲ＿３は、Ｓ（６）（パワーが３番目に低いサブバンド信号）に適用され、第４ゲイン低減ＧＲ＿４は、Ｓ（７）（パワーが４番目に低いサブバンド信号）に適用され、第５ゲイン低減ＧＲ＿５は、Ｓ（８）（パワーが５番目に低いサブバンド信号）に適用され、第６ゲイン低減ＧＲ＿６は、Ｓ（３）（パワーが６番目に低いサブバンド信号）に適用され、第７ゲイン低減ＧＲ＿７は、Ｓ（５）（パワーが７番目に低いサブバンド信号）に適用され、第８ゲイン低減ＧＲ＿８は、Ｓ（４）（パワーが８番目に低いサブバンド信号）に適用される。１つまたは複数の例示的な聴覚保護装置において、リミッタコントローラは、ゲイン低減ＧＲ＿１−ＧＲ＿８に基づいてフィルタ伝達関数／フィルタ係数を設計し、フィルタ伝達関数／フィルタ係数を、第１マイクロホン入力信号に対して動作するマルチバンドリミッタのフィルタに適用するように構成される。
【００７８】
特定の特徴を示し、記載してきたが、これらの特徴は、特許請求の範囲に記載された発明を限定することを意図していないことが理解され、特許請求の範囲に記載された発明の精神及び範囲から逸脱することなく種々の変更及び改変が行われてもよいことが当業者に明らかになるだろう。したがって、明細書及び図面は、限定するという観点ではなく、実例であると考えるべきである。特許請求の範囲に記載された発明は、全ての代替例、改変及び均等物を包含することを意図している。
【００７９】
以下の項目は、本出願時の特許請求の範囲に記載の要素である。
（項目１）
第１マイクロホン入力信号を提供するための第１マイクロホンと、
前記第１マイクロホン入力信号を、複数のサブバンド信号に分割するサブバンド分割モジュールと、
第１サブバンド信号の第１信号強度パラメータと、第２サブバンド信号の第２信号強度パラメータとを含む、各サブバンド信号の信号強度パラメータを推定する推定モジュールと、
前記第１マイクロホン入力信号に、または前記サブバンド信号のそれぞれに、ゲイン低減を適用するように構成されたマルチバンドリミッタと、
前記マルチバンドリミッタに接続されたリミッタコントローラと、を有する聴覚保護装置であって、
前記リミッタコントローラは、前記第１マイクロホン入力信号の前記サブバンド信号に対するゲイン低減を決定するように構成され、
前記第２サブバンド信号に対する第２ゲイン低減は、前記第１サブバンド信号に対する前記第１信号強度パラメータに基づいており、
前記リミッタコントローラは、前記マルチバンドリミッタを制御して、前記第２ゲイン低減を前記第２サブバンド信号に適用するように構成される、聴覚保護装置。
（項目２）
前記第１マイクロホン入力信号の前記第２サブバンド信号に対する前記第２ゲイン低減は、前記第２サブバンド信号の前記第２信号強度パラメータに基づいている、項目１に記載の聴覚保護装置。
（項目３）
前記第１サブバンド信号は、前記サブバンド信号のうちの信号強度パラメータが最も低いものである、項目１または２に記載の聴覚保護装置。
（項目４）
前記第１マイクロホン入力信号の前記サブバンド信号に対するゲイン低減を決定することは、広帯域信号強度限界に基づいている、項目１から３のいずれか一項に記載の聴覚保護装置。
（項目５）
前記第１マイクロホン入力信号の前記サブバンド信号に対するゲイン低減を決定することは、前記第２サブバンド信号に対する第２信号強度閾値Ｐ＿ＴＨ＿２を、前記広帯域信号強度限界に基づいて決定することを含む、項目４に記載の聴覚保護装置。
（項目６）
前記第２信号強度閾値Ｐ＿ＴＨ＿２は以下のとおり求められ、
【数６】
2019146153.tif 000009
式中、Ｐｌｉｍは広帯域信号強度限界であり、Ｐ１は第１サブバンド信号の第１信号強度パラメータであり、Ｋはサブバンド信号の数であり、ｋは指数である、項目５に記載の聴覚保護装置。
（項目７）
前記第１マイクロホン入力信号の前記サブバンド信号に対するゲイン低減を決定することは、前記第２信号強度閾値Ｐ＿ＴＨ＿２が第２ゲイン低減基準を満たす場合には、前記第２信号強度閾値に基づいて前記第２ゲイン低減を決定することを含む、項目５または６に記載の聴覚保護措置。
（項目８）
前記第１マイクロホン入力信号の前記サブバンド信号に対するゲイン低減を決定することは、前記第１マイクロホン入力信号の第３サブバンド信号であって、前記第１信号強度パラメータおよび前記第２信号強度パラメータよりも大きい第３信号強度パラメータを有する第３サブバンド信号に対する第３ゲイン低減を決定することを含み、
前記リミッタコントローラは、前記マルチバンドリミッタを制御して、前記第３ゲイン低減を前記第３サブバンド信号に適用するように構成される、項目１から７のいずれか一項に記載の聴覚保護装置。
（項目９）
前記第１マイクロホン入力信号の前記サブバンド信号に対するゲイン低減を決定することは、前記第２信号強度閾値Ｐ＿ＴＨ＿２が前記第２ゲイン低減基準を満たす場合には、前記第２信号強度閾値Ｐ＿ＴＨ＿２に基づいて、前記第３ゲイン低減を決定することを含む、項目７に従属する項目８に記載の聴覚保護装置。
（項目１０）
前記第１マイクロホン入力信号の前記サブバンド信号に対するゲイン低減を決定することは、前記第２信号強度閾値が前記第２ゲイン低減基準を満たさない場合には、前記広帯域信号強度限界に基づいて第３信号強度閾値Ｐ＿ＴＨ＿３を決定することを含む、項目５に従属する項目８または９に記載の聴覚保護措置。
（項目１１）
前記第１マイクロホン入力信号の前記サブバンド信号に対するゲイン低減を決定することは、前記第３信号強度閾値Ｐ＿ＴＨ＿３が第３ゲイン低減基準を満たす場合には、前記第３信号強度閾値に基づいて前記第３ゲイン低減を決定することを含む、項目１０に記載の聴覚保護装置。
（項目１２）
前記１つまたは複数の信号強度パラメータはパワーである、項目１から１１のいずれか一項に記載の聴覚保護装置。
（項目１３）
聴覚保護装置を動作させる方法であって、
第１マイクロホン入力信号を取得することと、
前記第１マイクロホン入力信号を複数のサブバンド信号に分割することと、
第１サブバンド信号の第１信号強度パラメータおよび第２サブバンド信号の第２信号強度パラメータを含む各サブバンド信号の信号強度パラメータを推定することと、
前記第２サブバンド信号に対する第２ゲイン低減が、前記第１サブバンド信号の前記第１信号強度パラメータに基づくように前記第１マイクロホン入力信号の各サブバンド信号に対するゲイン低減を決定することと、
前記ゲイン低減を各サブバンド信号に適用することと、を含む方法。
（項目１４）
前記第１マイクロホン入力信号の各サブバンド信号に対するゲイン低減を決定することは、前記サブバンド信号を、信号強度パラメータの昇順でソートされたサブバンド信号のリストにソートすることを含み、
前記第１マイクロホン入力信号の各サブバンド信号に対するゲイン低減を決定することは、
指数ｎを初期化することと、
広帯域信号強度限界に基づいてｎ番目の信号強度閾値Ｐ＿ＴＨ＿ｎを決定することと、
ｎ番目の信号強度閾値Ｐ＿ＴＨ＿ｎがｎ番目のゲイン低減基準（Ｐ＿ＴＨ＿ｎ≦Ｐ＿ｎ）を満たさない場合には、指数ｎを増やして、広帯域信号強度限界に基づいてｎ番目の信号強度閾値Ｐ＿ＴＨ＿ｎを決定することに戻ることと、を含む、項目１３に記載の方法。
（項目１５）
前記ｎ番目の信号強度閾値Ｐ＿ＴＨ＿ｎが前記ｎ番目のゲイン低減基準を満たす場合には、Ｋをサブバンド信号の数として、ｉ＝ｎ、…、Ｋについて、ゲイン低減ＧＲ＿ｉはＰ＿ＴＨ＿ｎ／Ｐ＿ｉとして与えられ、ｉ＝１、…、ｎ−１について、ゲイン低減ＧＲ＿ｉは１に設定されるように、前記ｎ番目の信号強度閾値に基づいて前記サブバンド信号の前記ゲイン低減を決定する、項目１４に記載の方法。
【符号の説明】
【００８０】
２  聴覚保護装置
４  第１マイクロホン
６  第１マイクロホン入力信号
８  サブバンド分割モジュール
１０  推定モジュール
１２  マルチバンドリミッタ
１２Ａ  乗算モジュール
１２Ｂ  合成モジュール
１４  リミッタコントローラ
１４Ａ  平均化モジュール
１４Ｂ  ゲイン低減計算機
１４Ｃ  フィルタ設計モジュール
１４Ｄ  閾値モジュール
１６  電気出力信号
１８  レシーバ
１００  聴覚保護装置を動作させる方法
１０２  第１マイクロホン入力信号を取得
１０４  第１マイクロホン信号を複数のサブバンド信号に分割
１０６  信号強度パラメータを推定
１０８  各サブバンド信号に対するゲイン低減を決定
１１０  各サブバンド信号にゲイン低減を適用
１１２  サブバンド信号をソート
１１４  指数ｎを初期化
１１６  ｎ番目の信号強度閾値Ｐ＿ＴＨ＿ｎを決定
１１８  指数ｎを増やす
１２０  Ｐ＿ＴＨ＿ｎがｎ番目のゲイン基準を満たすか判定
１２２  ｉ＝１、…、Ｋについて、ゲイン低減ＧＲ＿ｉを決定
【図１Ａ】
2019146153.tif 000011
【図１Ｂ】
2019146153.tif 000012
【図２】
2019146153.tif 000013
【図３】
2019146153.tif 000014
【図４】
2019146153.tif 000015
【図５】
2019146153.tif 000016
【図６】
2019146153.tif 000017
【外国語明細書】
2019146153000001.pdf
2019146153000002.pdf
2019146153000003.pdf
2019146153000004.pdf